(57)【要約】【課題】施工の手間及び材料コストを低減することができる耐力壁用パネルを提供する。【解決手段】表面板１と裏面板２との間に芯材３を充填してなるパネル４の裏面板２に、金属板で形成される支圧板５を設けて成ることを特徴とする。パネル４に支圧板５を設けることによって、支圧板５のみを建物の構造材に固定する作業が不要となり、耐力壁用パネルＡを構造材に固定する作業と同時に支圧板５を建物の構造材９に固定することができる。パネル４に支圧板５を設けるにあたって、バルブタイトなどの特殊な固定具が不要となる。【選択図】  図１
2004232395.tif 000002
【特許請求の範囲】
【請求項１】
表面板と裏面板との間に芯材を充填してなるパネルの裏面板に、金属板で形成される支圧板を設けて成ることを特徴とする耐力壁用パネル。
【請求項２】
パネルの少なくとも四隅近傍に支圧板を設けて成ることを特徴とする請求項１に記載の耐力壁用パネル。
【請求項３】
裏面板に支圧板を接着して成ることを特徴とする請求項１又は２に記載の耐力壁用パネル。
【請求項４】
裏面板に支圧板をテクス等の固定具で固定して成ることを特徴とする請求項１乃至３のいずれかに記載の耐力壁用パネル。
【請求項５】
支圧板に固定具の頭部が収納される収納凹部を設けて成ることを特徴とする請求項４に記載の耐力壁用パネル。
【請求項６】
請求項１乃至５のいずれかに記載の耐力壁用パネルを複数枚並設して耐力壁を形成するにあたって、隣接する耐力壁用パネル間に跨らないようにして支圧板を建物の構造材の表面に密着させると共に耐力壁用パネルの表面から固定具を構造材に打入して耐力壁用パネルを構造材に固定して成ることを特徴とする耐力壁。
【発明の詳細な説明】
【０００１】
【発明の属する技術分野】
本発明は、建物の外壁などとして用いられる耐力壁及び耐力壁を形成するための耐力壁用パネルに関するものである。
【０００２】
【従来の技術】
従来より、表面板と裏面板との間に芯材を充填してなる壁パネル（サンドイッチパネル）を用いて耐力壁を形成することが行われている（例えば、特許文献１参照）。この特許文献１に記載の耐力壁は、木柱の前面側に固定した金属板に隣接するパネルの各端部を固定して形成したものであり、パネルに面方向の過大な荷重が作用した場合でもパネルの固定部分に加わるせん断応力を分散することができ、隣接するパネル間にズレが発生しないようにしたものである。
【０００３】
【特許文献１】
特開２００２−２１３０３３号公報（特許請求の範囲、図１等）
【０００４】
【発明が解決しようとする課題】
しかし、上記特許文献１の耐力壁では、パネルを固定する作業とは別に金属板を木柱に固定する作業が必要となり、施工に手間がかかるという問題があった。また、パネルを金属板に固定する際にはバルブタイトなどの特殊な固定具が必要となり、材料コストがかかるという問題があった。
【０００５】
本発明は上記の点に鑑みてなされたものであり、施工の手間及び材料コストを低減することができる耐力壁用パネル及び耐力壁を提供することを目的とするものである。
【０００６】
【課題を解決するための手段】
本発明の請求項１に係る耐力壁用パネルＡは、表面板１と裏面板２との間に芯材３を充填してなるパネル４の裏面板２に、金属板で形成される支圧板５を設けて成ることを特徴とするものであり、パネル４に支圧板５を設けることによって、支圧板５のみを建物の構造材に固定する作業が不要となり、耐力壁用パネルＡを構造材９に固定する作業と同時に支圧板５を建物の構造材９に固定することができ、施工の手間を低減することができるものである。しかも、パネル４に支圧板５を設けるにあたって、バルブタイトなどの特殊な固定具が不要となり、材料コストを低減することができるものである。
【０００７】
また、本発明の請求項２に係る耐力壁用パネルＡは、請求項１に加えて、パネル４の少なくとも四隅近傍に支圧板５を設けて成ることを特徴とするものであり、耐力壁用パネルＡにかかる荷重を四隅近傍の支圧板５で強力に支持することができ、支圧板５を設けたパネル４の四隅近傍の破損を低減することができるものである。
【０００８】
また、本発明の請求項３に係る耐力壁用パネルＡは、請求項１又は２に加えて、裏面板２に支圧板５を接着して成ることを特徴とするものであり、支圧板５を接着剤により裏面板２に固定することができ、バルブタイトなどの特殊な固定具が不要となり、材料コストを低減することができるものである。
【０００９】
また、本発明の請求項４に係る耐力壁用パネルＡは、請求項１乃至３に加えて、裏面板２に支圧板５をテクス等の固定具６で固定して成ることを特徴とするものであり、バルブタイトなどの特殊な固定具が不要となり、材料コストを低減することができるものである。
【００１０】
また、本発明の請求項５に係る耐力壁用パネルＡは、請求項４に加えて、支圧板５に固定具６の頭部７が収納される収納凹部８を設けて成ることを特徴とするものであり、固定具６の頭部７が支圧板５の表面に突出しないようにすることができ、支圧板５の表面と建物の構造材９との密着性を高めることができるものである。
【００１１】
本発明の請求項６に係る耐力壁は、請求項１乃至５のいずれかに記載の耐力壁用パネルＡを複数枚並設して耐力壁を形成するにあたって、隣接する耐力壁用パネルＡ、Ａ間に跨らないようにして支圧板５を建物の構造材９の表面に密着させると共に耐力壁用パネルＡの表面から固定具１０を構造材９に打入して耐力壁用パネルＡを構造材９に固定して成ることを特徴とするものであり、支圧板５のみを建物の構造材９に固定する作業が不要となり、耐力壁用パネルＡを構造材９に固定する作業と同時に支圧板５を建物の構造材９に固定することができ、施工の手間を低減することができるものである。また、支圧板５を設けた部分で耐力壁用パネルＡを構造材９に固定具１０で固定することによって、耐力壁用パネルＡにかかる荷重を支圧板５で強力に支持することができるので、支圧板５を設けない場合に比べて、耐力壁用パネルＡの固定位置を少なくすることができ、固定具１０の本数や施工の手間を低減することができて低コスト化を図ることができるものである。しかも、パネル４に支圧板５を設けるにあたって、バルブタイトなどの特殊な固定具が不要となり、材料コストを低減することができるものである。
【００１２】
【発明の実施の形態】
以下、本発明の実施の形態を説明する。
【００１３】
耐力壁用パネルＡは、表面板１と裏面板２との間に芯材３を充填してなるパネル４の裏面板２に、金属板で形成される支圧板５を設けて形成されるものである。パネル４は従来から壁材として用いられているサンドイッチパネル（断熱パネル）を使用することができる。表面板１と裏面板２は亜鉛めっき鋼板やガルバリウム鋼板などのめっき鋼板や塗装鋼板等の金属板を使用することができ、その厚みは例えば、０．２〜１．０ｍｍのものを用いることができる。また、芯材３としては、ロックウールやグラスウールなどの無機繊維体やウレタンフォームやフェノールフォームなどの樹脂発泡体等の断熱性を有するものを用いることができる。芯材３は表面板１と裏面板２に接着されたりあるいは芯材３が樹脂発泡体の場合はその自己接着性により表面板１と裏面板２に一体的に設けられている。尚、パネル４の周囲には剛性の高い鉄骨造のフレームを設けてもよい。
【００１４】
支圧板５は表面板１及び裏面板２と同様の金属板で平板状に形成されており、その厚みは表面板１及び裏面板２と同等かあるいはそれ以上に形成することができ、例えば、０．５〜１．６ｍｍ程度にすることができる。
【００１５】
そして、本発明の耐力壁用パネルＡは、図１に示すように、パネル４の裏面板２の表面（芯材３側と反対側の面）に上記の支圧板５を固定することによって形成することができる。この時、パネル４の裏面板２の少なくとも四隅近傍に支圧板５を設けることが好ましく、これにより、耐力壁用パネルＡの面内方向にかかる荷重を四隅近傍の支圧板５で強力に支圧（支持）することができ、パネル４の一部に荷重がかかりにくくなってパネル４の破損を低減することができるものである。尚、図１に示すものは、四隅近傍の他に長手端部の中間位置の近傍に支圧板５を設けたものである。
【００１６】
裏面板２の表面に支圧板５を固定するにあたっては、エポキシ樹脂等を主成分とする接着剤を用いて接着することができ、この場合、テクスやビス等の固定具６を用いたときのように固定具６の頭部７が支圧板５の表面に突出しないようにすることができ、支圧板５の表面と建物の構造材９との密着性を高めることができるものである。また、裏面板２の表面に支圧板５を固定するにあたっては、テクスやビス等の固定具６を用いて締結することができる。この場合、固定具６の頭部７が支圧板５の表面に大きく突出しないようにするために、頭部７の厚みが１ｍｍ以下のものを用いるのが好ましい。また、図９に示すように、支圧板５の表面に収納凹部８を設け、この収納凹部８に固定具６の頭部７を収納するようにして固定具６を締結するのが好ましく、この場合、固定具６の頭部７が支圧板５の表面に突出しないようにすることができ、支圧板５の表面と建物の構造材９との密着性を高めることができるものである。このような固定具６としては打入部分の直径が３〜６ｍｍのものを用いることができ、また、図４に示すように、支圧板５の中心に対して対称に複数本の固定具６を打入することができる。
【００１７】
そして、上記のように形成される耐力壁用パネルＡを施工して耐力壁を形成するにあたっては、次のようにして行う。まず、建物の構造材（下地）９の前側に耐力壁用パネルＡを配置する。ここで、耐力壁を外壁として用いる場合は構造材９の屋外側に耐力壁用パネルＡを配置する。また、構造材９は建物の間柱９ｂや横胴縁９ａ、縦胴縁９ｃ、つなぎ梁９ｄ等のいずれであってもよく、その材質は鉄骨等の金属や木質材料のいずれであってもよい。次に、耐力壁用パネルＡの表面側から構造材９にまでテクス等の固定具１０を打入することによって、耐力壁用パネルＡを構造材９に固定する。この時、固定具１０はパネル４及び支圧板５の中心部分を貫通するようにして打入されるものである。また、図５に示すように支圧板５をパネル４に接着した場合及び図６に示すように固定具６の頭部７を収納凹部８に収納した場合は支圧板５を構造材９の表面に密着させることができ、支圧板５を構造材９で補強して破損しにくくすることができるものである。
【００１８】
また、図２、３に示すように、支圧板５に固定具６の頭部７が突出している場合、支圧板５と構造材９のクリアランスが大きくなると、パネル４と構造材９の偏心が大きくなって固定具１０に偏心（歪み）が生じることがあるが、本発明では頭部７の厚みを小さくしてパネル４と構造材９の間の中間に頭部７を位置させており、このために、支圧板５と構造材９とのクリアランス（隙間）を最小限にすることができ、固定具１０に偏心が生じにくくなるものである。そして、上記のようにして耐力壁用パネルＡはその長手方向を略鉛直にした縦張り（図７）、あるいは長手方向を略水平にした横張り（図８）、あるいは縦張りと横張りの組み合わせによって、耐力壁を形成することができる。この耐力壁では耐力壁用パネルＡに作用するせん断力は、支圧板５及びこれを固定する接着剤や固定具６を介して構造材９に伝達されることになる。
【００１９】
本発明の耐力壁では、耐力壁用パネルＡに面内方向の力がかかった時に、耐力壁用パネルＡを構造材９に固定する固定具１０にせん断力が作用した場合に、その回転中心より固定具１０の回転に伴って固定具１０の打入された部分（軸部）とパネル４の裏面板２に一体化された支圧板５との接触面が抵抗することになり、構造材９に対する耐力壁用パネルＡの接合部分において裏面板２と支圧板５が一体化されているために、支圧強度を向上させることができるものであり、固定具１０とパネル４の裏面板２との接触部分においてパネル４に支圧破壊が発生しにくくなり、裏面板２として板厚が薄い金属板を用いた場合でも強固な耐力壁を形成することができるものである。また、支圧板５はパネル４の工場あるいは現場で既存の機器を使用して容易にパネル４に固定することができ、支圧板５のみを構造材９に固定する作業が不要となり、施工の手間を低減することができるものである。
【００２０】
【発明の効果】
上記のように本発明の請求項１の発明は、表面板と裏面板との間に芯材を充填してなるパネルの裏面板に、金属板で形成される支圧板を設けて成ることを特徴とするものであり、パネルに支圧板を設けることによって、支圧板のみを建物の構造材に固定する作業が不要となり、耐力壁用パネルを構造材に固定する作業と同時に支圧板を建物の構造材に固定することができ、施工の手間を低減することができるものである。しかも、パネルに支圧板を設けるにあたって、バルブタイトなどの特殊な固定具が不要となり、材料コストを低減することができるものである。
【００２１】
また、本発明の請求項２の発明は、パネルの少なくとも四隅近傍に支圧板を設けて成ることを特徴とするものであり、耐力壁用パネルにかかる荷重を四隅近傍の支圧板で強力に支持することができ、パネルの破損を低減することができるものである。
【００２２】
また、本発明の請求項３の発明は、裏面板に支圧板を接着して成ることを特徴とするものであり、支圧板を接着剤により裏面板に固定することができ、バルブタイトなどの特殊な固定具が不要となり、材料コストを低減することができるものである。
【００２３】
また、本発明の請求項４の発明は、裏面板に支圧板をテクス等の固定具で固定して成ることを特徴とするものであり、バルブタイトなどの特殊な固定具が不要となり、材料コストを低減することができるものである。
【００２４】
また、本発明の請求項５の発明は、支圧板に固定具の頭部が収納される収納凹部を設けて成ることを特徴とするものであり、固定具の頭部が支圧板の表面に突出しないようにすることができ、支圧板の表面と建物の構造材との密着性を高めることができるものである。
【００２５】
本発明の請求項６の発明は、請求項１乃至５のいずれかに記載の耐力壁用パネルを複数枚並設して耐力壁を形成するにあたって、隣接する耐力壁用パネル間に跨らないようにして支圧板を建物の構造材の表面に密着させると共に耐力壁用パネルの表面から固定具を構造材に打入して耐力壁用パネルを構造材に固定して成ることを特徴とするものであり、支圧板のみを建物の構造材に固定する作業が不要となり、耐力壁用パネルを構造材に固定する作業と同時に支圧板を建物の構造材に固定することができ、施工の手間を低減することができるものである。また、支圧板を設けた部分で耐力壁用パネルを構造材に固定具で固定することによって、耐力壁用パネルにかかる荷重を支圧板で強力に支持することができるので、支圧板を設けない場合に比べて、耐力壁用パネルの固定位置を少なくすることができ、固定具の本数や施工の手間を低減することができて低コスト化を図ることができるものである。
【図面の簡単な説明】
【図１】本発明の耐力壁用パネルの実施の形態の一例を示す背面図である。
【図２】同上の図７におけるＣ−Ｃ断面図である。
【図３】同上の図７におけるＤ部分の断面図である。
【図４】同上の図３におけるＢ−Ｂ断面図である。
【図５】同上の他の実施の形態を示す一部の断面図である。
【図６】同上の他の実施の形態を示す一部の断面図である。
【図７】同上の耐力壁の実施の形態の一例を示す一部の概略の正面図である。
【図８】同上の耐力壁の実施の形態の一例を示す一部の概略の正面図である。
【図９】同上の支圧板の一例を示す一部の断面図である。
【符号の説明】
１  表面板
２  裏面板
３  芯材
４  パネル
５  支圧板
６  固定具
７  頭部
８  収納凹部
９  構造材
１０  固定具
Ａ  耐力壁用パネル
【図１】
2004232395.tif 000003
【図２】
2004232395.tif 000004
【図３】
2004232395.tif 000005
【図４】
2004232395.tif 000006
【図５】
2004232395.tif 000007
【図６】
2004232395.tif 000008
【図７】
2004232395.tif 000009
【図８】
2004232395.tif 000010
【図９】
2004232395.tif 000011